(57)【特許請求の範囲】
【請求項１】
読み取った原稿画像データの出力を制御する画像形成装置であって、
前記画像データの付加情報を検出する付加情報検出装置が、前記画像形成装置に装着されているか否かを検出する検出手段と、
ユーザインターフェースからの入力により前記付加情報検出装置のオン・オフを切り替える切替手段と、
前記検出手段により前記付加情報検出装置が前記画像形成装置本体に装着されていないことが検出された場合には、原稿画像の読み込みが終了する前に画像出力を開始するように、前記読み取った原稿画像データの画像を形成する画像形成手段を制御し、前記検出手段により前記付加情報検出装置が前記画像形成装置本体に装着されていることが検出された場合であって、前記切替手段により前記付加情報検出装置がオフされている場合には、原稿画像の読み込みが終了する前に画像出力を開始するように前記画像形成手段を制御し、前記切替手段により前記付加情報検出装置がオンされている場合には、原稿画像の読み込みが終了するまで画像出力を開始しないように前記画像形成手段を制御する制御手段と、
を備えることを特徴とする画像形成装置。
【請求項２】
読み取った原稿画像データの出力を制御する画像形成装置の機密文書印刷方法であって、
前記画像データの付加情報を検出する付加情報検出装置が、前記画像形成装置に装着されているか否かを検出手段により検出するステップと、
前記検出手段により前記付加情報検出装置が前記画像形成装置本体に装着されていないことが検出された場合には、原稿画像の読み込みが終了する前に画像出力を開始するように、読み取った原稿画像データの画像を形成する画像形成手段を制御するステップと、
前記検出手段により前記付加情報検出装置が前記画像形成装置本体に装着されていることが検出された場合であって、ユーザインターフェースからの入力により前記付加情報検出装置のオン・オフを切り替える切替手段により前記付加情報検出装置がオフされている場合には、原稿画像の読み込みが終了する前に画像出力を開始するように前記画像形成手段を制御するステップと、
前記検出手段により前記付加情報検出装置が前記画像形成装置本体に装着されていることが検出された場合であって、前記切替手段により前記付加情報検出装置がオンされている場合には、原稿画像の読み込みが終了するまで画像出力を開始しないように前記画像形成手段を制御するステップと、
を有することを特徴とする機密文書印刷方法。
【発明の詳細な説明】
【技術分野】
【０００１】
本発明は、原稿画像の無断コピーを防止した画像形成装置に関する。
【背景技術】
【０００２】
近年、パーソナルコンピュータやプリンタ、複写機など、複写機能を持つ画像形成装置の普及により、書類を複製することが極めて簡単になっている。このような状況においては、著作権が付与された原稿、あるいは“コピー禁止”、“複製厳禁”、“マル秘”などといった無断複製の禁止が要求される原稿（以下まとめて“機密原稿”ともいう）に対しても容易にコピーが行われてしまうという欠点がある。換言すれば、文字列、図形、表、グラフなどを含む原稿画像であって、重要情報が漏洩することを防止する必要がある、いわゆる“機密原稿”の印刷出力（プリントアウト）物の不正複製による重要情報（機密内容）の漏洩ということが問題となってきている。したがって、複写機能を持つ画像形成装置には、機密原稿の悪用複製を防止する機能を持たせることが必要である。
【０００３】
例えば、特許文献１では、複製動作時に検知可能なコードデータをパターン画像に対応付けると共に、制御情報を表すことが可能なようにパターン画像を所定の間隔で２次元状に配列することにより、パターン画像を含む背景画像と原画像とが合成された合成画像を生成している。
【０００４】
しかしながら、このような背景画像と原画像とが合成された合成画像を印刷する時には、一旦１ページ分の画像を読み込み、読み込んだ画像に複写禁止の情報が埋め込まれているか否かを判定しなければならない。このため、印刷動作の開始が原稿スキャン完了後となるため、その分ＦＣＯＴ（Ｆｉｒｓｔ ｃｏｐｙ ｏｕｔ ｔｉｍｅ）が長くなるという問題があった。
【０００５】
そこで特許文献２では、画像を入力し、その中に特定の画像が存在するか否かの検出処理を開始する時に、計時も開始する。計時時間が予め設定された時間となると、検出処理の途中であっても画像の印刷を開始するようにしている。
【０００６】
【特許文献１】特開２００３−２８３７９０号公報
【特許文献２】特開２００１−１２７９７６号公報
【発明の開示】
【発明が解決しようとする課題】
【０００７】
しかしながら、特許文献２に開示の技術では、特定画像の検出処理を最後まで行わずに印刷を開始してしまうので、複写禁止原稿であっても、一般原稿と誤判定し、複写されてしまう場合も起こり得る。
【０００８】
本発明は上記事情に鑑みてなされたものであり、搭載している機能に応じて、ファーストコピーの出力時間を調整することができる画像形成装置及び機密文書印刷方法を提供することを目的とする。
【課題を解決するための手段】
【０００９】
かかる目的を達成するために本発明の画像形成装置は、読み取った原稿画像データの出力を制御する画像形成装置であって、前記画像データの付加情報を検出する付加情報検出装置が、前記画像形成装置に装着されているか否かを検出する検出手段と、ユーザインターフェからの入力により付加情報検出装置のオン・オフを切り替える切替手段と、前記検出手段により前記付加情報検出装置が前記画像形成装置本体に装着されていないことが検出された場合には原稿画像の読み込みが終了する前に画像出力を開始するように、前記読み取った原稿画像データの画像を形成する画像形成手段を制御し、前記検出手段により前記付加情報検出装置が前記画像形成装置本体に装着されていることが検出された場合であって、前記切替手段により前記付加情報検出装置がオフされている場合には、原稿画像の読み込みが終了する前に画像出力を開始するように前記画像形成手段を制御し、前記切替手段により前記付加情報検出装置がオンされている場合には、原稿画像の読み込みが終了するまで画像出力を開始しないように前記画像形成手段を制御する制御手段とを備えることを特徴としている。
本発明によれば、付加情報検出装置の画像形成装置本体への装着状態と、付加情報検出装置の電源のオン、オフ状態とに応じて、画像形成手段が画像の出力を開始するタイミングを変更することができる。すなわち、付加情報検出装置が画像形成装置本体に装着され、付加情報検出装置の電源がオンされている場合には、付加情報検出装置が原稿画像データに付加情報が付加されているか否かを判定するため、原稿画像データの読み込みが終了するまで画像出力を開始しない。従って、原稿画像データに付加情報が付加されている場合に、特定のユーザにだけ画像の形成を許可するなど、付加情報に従った画像の形成が可能となる。
また、付加情報検出装置が画像形成装置本体に装着されていない場合や、付加情報検出装置が画像形成装置本体に装着されているが、電源がオフされている場合には、原稿画像の読み込みが終了する前に画像出力を開始することで画像出力までにかかる時間を短縮させることができる。
【００１０】
本発明の機密文書印刷方法は、読み取った原稿画像データの出力を制御する画像形成装置の機密文書印刷方法であって、前記画像データの付加情報を検出する付加情報検出装置が、前記画像形成装置に装着されているか否かを検出手段により検出するステップと、前記検出手段により前記付加情報検出装置が前記画像形成装置本体に装着されていないことが検出された場合には原稿画像の読み込みが終了する前に画像出力を開始するように、前記読み取った原稿画像データの画像を形成する画像形成手段を制御するステップと、前記検出手段により前記付加情報検出装置が前記画像形成装置本体に装着されていることが検出された場合であって、ユーザインターフェースからの入力により付加情報検出装置のオン・オフを切り替える切替手段により前記付加情報検出装置がオフされている場合には、原稿画像の読み込みが終了する前に画像出力を開始するように前記画像形成手段を制御するステップと、前記検出手段により前記付加情報検出装置が前記画像形成装置本体に装着されていることが検出された場合であって、前記切替手段により前記付加情報検出装置がオンされている場合には、原稿画像の読み込みが終了するまで画像出力を開始しないように前記画像形成手段を制御するステップとを有している。
【発明の効果】
【００１５】
本発明は、画像形成装置の搭載している機能に応じて、ファーストコピーの出力時間を調整することができる。
【発明を実施するための最良の形態】
【００１６】
添付図面を参照しながら本発明の好適な実施例を説明する。
【実施例】
【００１７】
まず、図１を参照しながら本実施例の画像形成装置１の構成を説明する。図１に示す本実施例の画像形成装置１は、画像展開部１０と、スキャナ部１１と、スキャン画像処理部１２と、画像蓄積部１３と、付加情報検出装置１００としての複写禁止情報検出部１４と複写許可条件情報検出部１５と、制御部１６と、背景地紋画像生成部１７と、画像合成部１８と、プリント部１９と、ユーザインターフェース部２０とを備えている。
【００１８】
画像展開部１０は、ＬＡＮ等のネットワークを介して、プリント記述言語（ＰＤＬ）で記述されたプリントデータを入力する。画像展開部１０は、入力したプリントデータの展開処理を行って、画像データを生成する。生成された画像データは画像蓄積部１３に出力され蓄積される。
【００１９】
スキャナ部１１は、プラテンガラス上に置かれた原稿を読み取り、読み取った画像データをスキャン画像処理部１２に出力する。スキャン画像処理部１２は、入力した画像データに対して、色補正、色空間変換、スクリーン処理等を行い、画像処理後の画像データを画像蓄積部１３に蓄積する。
【００２０】
画像合成部１８は、画像蓄積部１３から画像データを読み出してプリント部１９に出力する。また、制御部１６によって背景地紋画像を合成するように設定されている場合、画像蓄積部１３からの画像データの読み出しに同期して、画像合成部１８内のメモリに蓄積された背景地紋画像データを読み出して、画像データの所定の色プレーンに論理和（ＯＲ）合成を行い、合成画像データをプリント部１９へ出力する。プリント部１９は、画像合成部１８から出力される合成画像データ、または画像データを用紙上に記録する。
【００２１】
本実施例の画像形成装置は、背景地紋画像が埋め込まれた機密文書から、背景地紋画像に埋め込まれた付加情報を読み取って、許可されたユーザにだけ機密文書を印刷できるように構成されている。
背景地紋画像に埋め込まれる付加情報には以下のものがある。
（Ａ）・・・複写禁止情報（コピー禁止とするか否か）
（Ｂ）・・・複写許可条件情報（条件が合致する場合にはコピーを許可するための情報）
例えば、暗証番号、複写を許可するユーザＩＤ番号（社員番号等）、複写禁止を解除する日時、複写を許可する複写機の機械番号
（Ｃ）・・・潜像情報（コピーすると浮き上がる潜像に関する情報）
例えば、潜像の文字列、フォント種類、フォントサイズ、潜像文字列の方向（角度）、背景地紋画像色
【００２２】
ここで、背景地紋画像について図２を参照しながら詳細に説明する。背景地紋画像は、潜像画像ＩＰと、出力画像Ｏの全面にわたる背景パターンＰＢとから構成される。
【００２３】
背景パターンＰＢと潜像画像ＩＰとは、それぞれを構成するパターンが異なる。しかし、人間の目には全面均一のグレイ背景として見える様に、単位面積あたりの画素面積及び画素色が同一なパターンにより出力画像Ｏを形成する。
【００２４】
潜像画像ＩＰは、複写された文書において、潜像画像ＩＰが人間の目で識別できる程度に画像が浮かびあがるよう、他の部分のよりも細かいドットで構成されている。
【００２５】
背景パターンＰＢは、コードから構成される。コードは、複写許可条件情報を含むコードデータを表す条件コードＣＤと、複写を制限する禁複写コードＣＰとから構成される。
【００２６】
コードは、任意のコードデータを表す斜線パターンＰＳから構成される。斜線パターンＰＳは、走査方向Ｄに対し反時計回りに４５度傾いた半直線で表されるものがコードデータのビット０を、１３５度傾いたものがコードデータのビット１を表す。
【００２７】
禁複写コードＣＰは、コード内の全斜線パターンＰＳがビット０を表すものとビット１を表すものとから構成される。禁複写コードＣＰは、２種類の禁複写コードＣＰを所定個数以上検出した場合に、複写が制限された原稿であると判断する為に使用される。
【００２８】
条件コードＣＤは、同期コード領域ＡＳとデータコード領域ＡＣとから構成される。
同期コード領域ＡＳとは、データコード領域ＡＣを囲む所定サイズの矩形領域の外周がすべてビット１を表す斜線パターンＰＳ１で構成されているコード領域を言う。
データコード領域には、暗証番号、複写を許可するユーザＩＤ番号（社員番号等）、複写禁止を解除する日時、複写を許可する複写機の機械番号等が符号化され、条件コードＣＤとして埋め込まれている。
【００２９】
次に、複写禁止情報検出部１４について図３を参照しながら説明する。図３には、複写禁止情報検出部１４の詳細な構成を示す。
スキャナ部１１から出力された画像データは、グレースケール変換部２１に入力され、フルカラーからグレースケールに変換される。その後、２値化処理部２２によって２値化される。
【００３０】
２値化された画像データは、ノイズ除去処理部２３に入力され、ノイズ除去処理が行われる。具体的には、黒画素が連結している画素塊を求め、その画素塊の大きさ（連結画素数）が所定の範囲に収まっていない画素塊の各画素を白画素に置き換える。上記所定の範囲は、斜線パターンは削除されず、それ以外のパターン（孤立ドットパターンや文書ン中の文字や図形等）が削除されるように適切な範囲が設定されている。
【００３１】
ノイズ除去された画像データは、パターン検出部２４に入力され、２種類の斜線パターンの検出処理が行われ、その結果が１画素２ビットの画像データとして出力される。具体的には、画像データ中の各画素の位置で図４（Ａ）、（Ｂ）のパターンを当てはめて、テンプレートマッチングによって検出を行う。ここで、図４に示すパターン（Ａ）が検出された場合、画素値０を出力し、図４に示すパターン（Ｂ）が検出された場合、画素値１を出力し、パターンが検出されない場合、画素値２を出力する。
【００３２】
パターン検出処理部２４から出力された画像データは、ブロック化処理部２５に入力される。ここで、ブロックサイズは、複写禁止コード、条件コードのサイズの半分よりも小さいサイズとし、コードの中に１個以上のブロックが完全に含まれるようなサイズに設定されている。ブロック化処理部２５は、入力された画像データを所定サイズのブロックに分割し、個数算出部２６に出力する。
【００３３】
個数算出部２６は、ブロック内に画素値０の画素の個数、および画素値１の画素をそれぞれ算出し、その結果を比率算出部２７へ出力する。また、その合計を判定処理部２８へ出力する。比率算出部２７は、画素値０の画素の比率を算出し、その結果を判定処理部２８へ出力する。
【００３４】
判定処理部２８は、個数算出部２６から入力された合計個数および比率算出部２７から入力された比率を元にして、判定処理を行う。
【００３５】
ここで、今処理しているブロックの内部が全ビット０の複写禁止コードの内部に位置している場合、ブロック内部には所定個数以上のビット０に対応する斜線パターンが検出され、かつビット１に対応する斜線パターンはほとんど検出されないため、ビット０に対応する斜線パターンの比率が高くほとんど１．０に近いはずである。
【００３６】
また、今処理しているブロックの内部が全ビット１の複写禁止コードの内部に位置している場合、ブロック内部には所定個数以上のビット１に対応する斜線パターンが検出され、かつビット０に対応する斜線パターンはほとんど検出されないため、ビット０に対応する斜線パターンの比率は低くほとんど０．０に近いはずである。
【００３７】
また、今処理しているブロックが条件コードの少なくとも一部を含む場合、ブロック内部には複数のビット０に対応する斜線パターンおよび複数のビット１に対応する斜線パターンが検出されるため、ビット０に対応する斜線パターンの比率は１．０よりもかなり低く、０よりもかなり高くなるはずである。
【００３８】
また、もし入力された画像データが複写禁止情報を埋め込まれた画像であれば、画像中には、ブロックの内部が全ビット０の複写禁止コードと、ブロックの内部が全ビット１の複写禁止コードとがそれぞれ複数個埋め込まれているはずである。
【００３９】
以上の特性を利用して、下記のような判定処理を行う。
合計個数＞第１しきい値、かつ、比率＞第２しきい値の場合は、そのブロックは複写禁止コード０と判定する。
合計個数＞第１しきい値、かつ。（１−比率）＞第２しきい値の場合は、そのブロックは複写禁止コード１と判定する。
上記以外の場合は、そのブロックは複写禁止コードではないと判定する。また、第１しきい値は、ブロックサイズとパターンサイズからブロックに含まれる理論的なパターン個数にマージンを加味して設定する。第２しきい値は、１．０に近い値を設定する。
【００４０】
判定処理部２８は、複写禁止コード０と判定されたブロック数、および複写禁止コード１と判定されたブロック数をそれぞれ別々にカウントする。複写禁止コード０と判定されたブロック数がしきい値３以上となり、かつ複写禁止コード０と判定されたブロック数がしきい値３以上となった場合、その画像を複写禁止文書と判定し、その判定結果を制御部１６へ出力する。
【００４１】
次に、複写許可条件情報検出部１５の詳細について図５を参照しながら説明する。
スキャナ部１１から出力された画像データはグレースケール変換部３１に入力され、フルカラーからグレースケールに変換された後に、２値化処理部３２によって２値化される。
【００４２】
２値化された画像データはノイズ除去処理部３３に入力され、ノイズ除去処理３３が行われる。ノイズが除去された画像データは、パターン検出処理部３４に入力され、２種類の斜線パターンの検出処理が行われ、その処理結果のデータがバッファメモリ３５に格納される。この画像データは、ビット０に対応する斜線パターンが検出された位置の画素値は０、ビット１に対応する斜線パターンが検出された位置の画素値は１、それ以外は２の値を持った１画素２ビットの画像データとなっている。
【００４３】
バッファメモリ３５に格納された画像データは、スキュー角検出処理部３６に入力され、スキュー角度の検出が行われる。ここでは、入力画像データのスキュー角度を求める。具体的な方式としては、画素値０または１のみの画素のハフ変換を行い、その角度軸上への投影分布のピークを求めることによって行われる。求めたスキュー角度はコード検出部３７へ出力される。
【００４４】
また、バッファメモリ３５に格納された画像データが読み出されてコード検出部３７へ入力され、２次元コードの検出が行われる。具体的には、求めたスキュー角度に画像をスキャンして０または１の画素値（ビットの０または１に対応している）を取り出す。取り出された、ビット列から同期コードを見つけ出す。同期コードは、所定の縦横サイズの矩形領域の外周がすべてビット１で構成されているコードとして定義されている。この同期コードに囲まれたビット配列が２次元コード（条件コード）となっている。このビット配列を１次元のビット列に並べ替えて誤り訂正復号部３８へ出力する。
【００４５】
誤り訂正復号部３８では、入力されたビット列に対して、所定の誤り訂正復号処理を行い、条件情報として復号する。復号された複写許可条件情報は制御部１６へ出力される。
【００４６】
次に、図６を参照しながら背景地紋画像生成部１７について説明する。
。背景地紋画像生成部１７には、制御部１６から付加情報（複写禁止情報、条件情報、潜像情報）が入力される。このうち複写禁止情報と複写許可条件情報は付加情報符号化部４２へ入力され、潜像情報は潜像生成部４１に入力される。
【００４７】
潜像生成部４１は、入力された潜像情報を元に潜像画像を生成する。潜像情報とは、パターン画像の中にどのような潜像文字を埋め込むかを示す情報であり、具体的には潜像の文字列、フォント種類、フォントサイズ、潜像文字列の方向（角度）等の情報からなる。潜像生成部４１は、潜像情報を受け取ると、指定されたフォント種類、フォントサイズで、指定された方向に潜像文字列の描画を行い、２値の潜像画像として生成する。生成した潜像画像は付加情報符号化部４２へ出力される。なお、潜像画像の解像度は、プリンタの解像度を後述するパターンのサイズで割った解像度となる。例えば、プリンタ解像度が６００ｄｐｉ、パターンのサイズが１２画素×１２画素の場合、潜像画像の解像度は５０ｄｐｉとなる。
【００４８】
付加情報符号化部４２は、入力された複写禁止情報及び条件情報の符号化を行う。まず、複写禁止情報がプリント出力を行った文書を画像形成装置で複写させないようにすること示す場合、図７（Ａ）、（Ｂ）に示す２種類の複写禁止コードを生成する。ここで、図７（Ａ）の複写禁止コードは、コード内部が全てビット０となっており、図７（Ｂ）の複写禁止コードは、コード内部が全てビット１となっていることが特徴である。複写禁止情報が入力されない場合、もしくはプリント出力を行った文書を画像形成装置で複写させないようにすることを示すものではない場合、図７（Ａ）および（Ｂ）に示す２種類のコードの生成は行われない。
【００４９】
次に、条件情報が入力されている場合、その条件情報に対して誤り訂正符号を行い、図７（Ｃ）に示すような条件コードを生成する。図７（Ｃ）のコードは、ビット０およびビット１の配列によって、符号化された条件情報のビット列を表している。コードの外周は、コードの同期を取るのを容易にするために特殊なビットパターンとなっている。
【００５０】
次に、生成したコードを図８（Ａ）に示すように複数個繰り返し配置し、潜像画像の大きさと同じ大きさのパターン番号配列を生成する。ここで、図の斜線ハッチングされた矩形が図７（Ａ）の複写禁止コード、縦線ハッチングされた矩形が図７（Ｂ）の複写禁止コード、ドットハチングされた矩形が図７（Ｃ）の条件コードとなっている。もし、複写禁止コードが生成されなかった場合には、図中の複写禁止コードの部分には条件コードを配置する。また、もし条件コードが生成されなかった場合には、図中の条件コードの部分には複写禁止コードを配置する。この時点で、パターン番号配列の各要素の値は０または１になっている。
【００５１】
次に、潜像画像を参照し、潜像画像中の黒画素の座標に対応するパターン番号配列の要素のパターン番号を２に変更する。これを潜像画像中の全ての黒画素について行うと、パターン番号配列は、複写禁止コード、条件コードが並べて配置された背景にパターン番号２で潜像文字が描かれた状態となる。この状態を図８（Ｂ）に示す。図中の黒色の「COPY」の部分が、パターン配列番号を２に変更された部分を示す。このパターン番号配列をパターン画像生成部４４へ出力する。
【００５２】
パターン画像生成部４４は、入力されたパターン番号配列の各要素を参照し、そのパターン番号に対応したパターンをパターン格納部４３から読み出してパターン画像に変換することで、背景地紋画像を生成する。生成された背景地紋画像は、画像合成部１８内のメモリ（不図示）に格納される。
【００５３】
本実施例は、付加情報検出装置１００が画像形成装置本体に装着されているか否かを検出し、装着されていない場合には、ＦＣＯＴを短縮するため、スキャナ部１１で画像を読み込み終わる前に、プリントを開始する。
また、付加情報検出装置１００が画像形成装置本体に装着されている場合には、原稿画像に埋め込まれた付加情報に従ったプリント動作を行うため、原稿画像の読み込みが完了するまでプリントを開始しない。
【００５４】
オプション装置としての付加情報検出装置１００の検出方法には種々の方法がある。例えば、付加情報検出装置１００に、オプション装置の装着を特定するパルス信号を発生させるパルス発生部を設けて、画像形成装置本体側でこのパルス信号を検出することで、付加情報検出装置の有無を判定する方法がある。また、画像形成装置本体に新たにオプション装置として付加情報検出装置１００が接続されると、本体装置がそのオプション装置への制御信号端子にパルス信号を出力し、オプション装置ではそのパルス信号を本体装置側へ出力し、本体装置でそのパルス信号に対応するパルス信号波形が入力されたことを検出すると、オプション装置が接続されていると判別する方法も挙げられる。
さらに、付加情報検出装置１００とシリアル通信を行うことができれば装着と判別する方法、サービスマンがセットアップ時に装着された付加情報検出装置１００に関する情報を、ユーザインターフェース２０の操作パネルなどから入力して不揮発性メモリに記憶させる方法等がある。
【００５５】
また、ユーザインターフェース部２０から設定が入力されると、制御部１６は、この設定に従って、付加情報検出装置１００をオン又はオフに切り替えることもできる。付加情報検出装置１００をオフにした場合、制御部１６は、ＦＣＯＴを短縮するため、スキャナ部１１で画像を読み込み終わる前に、プリントを開始する。また付加情報検出装置１００をオンにした場合には、制御部１６は、原稿画像の読み込みが完了するまでプリントを開始しない。
【００５６】
図９には、付加情報検出装置１００が画像形成装置本体に装着されていない場合、又は付加情報検出装置１００をオフ設定した場合の制御部１６の信号出力タイミングが示されている。
制御部１６はスキャナ部１１へ画像読み取り用のページシンク信号を出力し、画像の読み込みを開始する。付加情報検出装置１００が装置本体に装着されていない場合、付加情報検出装置１００から装着を通知する通知信号が入力されることはない。このような場合、制御部１６は、原稿画像の読み込みが終了する前に、プリント部１９へプリント出力ページシンク信号を出力する。
【００５７】
図１０には、付加情報検出装置１００の本体装置への装着を検出し、原稿画像に埋め込まれた付加情報に従って、プリントを行うか否かを制御するときの制御部１６の制御タイミングが示されている。
制御部１６は、付加情報検出装置１００が本体に装着されていることを検出すると、図１０（Ａ）に示すように原稿画像の読み込みが終了するまで、プリント部１９へプリント命令を出力することがない。また、図１０（Ｂ）に示すように、複写禁止情報を検出すると、スキャナ部１１、プリント部１９に動作中止命令を出して、プリント動作を停止させる。
【００５８】
このように本実施例では、画像形成装置の搭載している機能に応じて、ファーストコピーの出力時間を調整することができる。
【００５９】
上述した実施例は本発明の好適な実施例である。但し、これに限定されるものではなく、本発明の要旨を逸脱しない範囲内において種々変形実施可能である。
【図面の簡単な説明】
【００６０】
【図１】画像形成装置の構成を示すブロック図である。
【図２】背景地紋画像を示す図である。
【図３】複写禁止情報検出部の構成を示すブロック図である。
【図４】テンプレートマッチングに使用される画像の一例を示す図である。
【図５】複写許可条件情報検出部の構成を示すブロック図である。
【図６】背景地紋画像生成部の構成を示すブロック図である。
【図７】複写禁止情報及び条件情報を示す図である。
【図８】パターン番号配列を示す図である。
【図９】付加情報検出装置が装着されていない場合の制御部の制御タイミングを示す図である。
【図１０】付加情報検出装置が装着されている場合の制御部の制御タイミングを示す図である。
【符号の説明】
【００６１】
１  画像形成装置
１０  画像展開部
１１  スキャナ部
１２  スキャン画像処理部
１３  画像蓄積部
１４  複写禁止情報検出部
１５  複写許可条件情報検出部
１６  制御部
１７  背景地紋画像生成部
１８  画像合成部
１９  プリント部
２０  ユーザインターフェース部
【図１】
0004604999.tif 000002
【図２】
0004604999.tif 000003
【図３】
0004604999.tif 000004
【図４】
0004604999.tif 000005
【図５】
0004604999.tif 000006
【図６】
0004604999.tif 000007
【図７】
0004604999.tif 000008
【図８】
0004604999.tif 000009
【図９】
0004604999.tif 000010
【図１０】
0004604999.tif 000011